(57)【要約】様々な実施形態は、無線アクセス技術（ＲＡＴ）の使用を管理するためのマルチモード通信デバイスおよび方法を含む。様々な実施形態では、マルチモード通信デバイスは、通信リンクがより低い優先度のＲＡＴで確立されているとき、かつ、このデバイスが静止状態であるとマルチモード通信デバイスが決定するとき、より高い優先度のＲＡＴの信号についてスキャンすることを防ぎ得る。通信リンクの信号特性および／またはマルチモード通信デバイスがいつ移動したかを検出することができる他のリソースがモニタされ得る。信号特性またはマルチモード通信デバイスが移動したことを示す別のインジケーションの変化に応答して、より高い優先度のＲＡＴのスキャンが再度アクティブにされ得る。【選択図】図３
2019515525.tif 000002
【特許請求の範囲】
【請求項１】
無線アクセス技術（ＲＡＴ）の使用を管理するためのマルチモード通信デバイス上でインプリメントされる方法であって、
確立された通信リンクの前記ＲＡＴが最も高い優先度のＲＡＴでないことおよび前記マルチモード通信デバイスが静止状態であることを決定することに応答して、前記マルチモード通信デバイスが、前記確立された通信リンクの前記ＲＡＴ以外の１つまたは複数のＲＡＴの信号についてスキャンするのを防ぐこと
を備える方法。
【請求項２】
前記確立された通信リンクの１つまたは複数の変化についてモニタすることと、
前記確立された通信リンクの１つまたは複数の変化を検出することに応答して、前記確立された通信リンクの前記ＲＡＴ以外の前記１つまたは複数のＲＡＴの信号についてスキャンすることと
をさらに備える、請求項１に記載の方法。
【請求項３】
前記確立された通信リンクの１つまたは複数の変化を検出することは、前記確立された通信リンクの前記１つまたは複数の変化がしきい値を上回ると決定することを備える、請求項２に記載の方法。
【請求項４】
前記確立された通信リンクの１つまたは複数の変化を検出することは、前記確立された通信リンクの受信信号強度がしきい値を上回る量だけ増加または減少したかどうかを決定することを備える、請求項２に記載の方法。
【請求項５】
前記マルチモード通信デバイスのロケーションが変化したかどうかを決定することと、
前記マルチモード通信デバイスの前記ロケーションが変化したと決定することに応答して、前記確立された通信リンクの前記ＲＡＴ以外の前記１つまたは複数のＲＡＴの信号についてスキャンすることと
をさらに備える、請求項１に記載の方法。
【請求項６】
前記マルチモード通信デバイスのロケーションが変化したかどうかを決定することは、
前記マルチモード通信デバイスが移動したことを示す信号について、前記マルチモード通信デバイスのロケーションの変化を示すことができるリソースをモニタすることと、
前記マルチモード通信デバイスの移動がしきい値を上回るかどうかを前記信号から決定することと、
前記マルチモード通信デバイスの前記移動が前記しきい値を上回ると決定することに応答して、前記マルチモード通信デバイスの前記ロケーションが変化したと決定することと
を備える、請求項５に記載の方法。
【請求項７】
前記マルチモード通信デバイスのロケーションの変化を検出することができる前記リソースは、全地球的航法衛星システム受信機、全地球測位衛星システム受信機、加速度計、非データベアラ信号を受信するトランシーバ、基地局識別子、およびアクセスポイント識別子のうちの１つまたは複数を備える、請求項６に記載の方法。
【請求項８】
マルチモード通信デバイスであって、
複数の無線アクセス技術（ＲＡＴ）をサポートするように構成された無線周波数（ＲＦ）リソースと、
前記ＲＦリソースに結合されたプロセッサと
を備え、前記プロセッサは、
確立された通信リンクの前記ＲＡＴが最も高い優先度のＲＡＴでないことおよび前記マルチモード通信デバイスが静止状態であることを決定することに応答して、前記マルチモード通信デバイスが、前記確立された通信リンクの前記ＲＡＴ以外の１つまたは複数のＲＡＴの信号についてスキャンするのを防ぐこと
を備える動作を実行するためにプロセッサ実行可能な命令で構成される、
マルチモード通信デバイス。
【請求項９】
前記プロセッサは、
前記確立された通信リンクの１つまたは複数の変化についてモニタすることと、
前記確立された通信リンクの１つまたは複数の変化を検出することに応答して、前記確立された通信リンクの前記ＲＡＴ以外の前記１つまたは複数のＲＡＴの信号についてスキャンすることと
をさらに備える動作を実行するためにプロセッサ実行可能な命令で構成される、
請求項８に記載のマルチモード通信デバイス。
【請求項１０】
前記プロセッサは、前記確立された通信リンクの１つまたは複数の変化を検出することが、前記確立された通信リンクの前記１つまたは複数の変化がしきい値を上回ると決定することを備えるように動作を実行するためにプロセッサ実行可能な命令で構成される、請求項９に記載のマルチモード通信デバイス。
【請求項１１】
前記プロセッサは、前記確立された通信リンクの１つまたは複数の変化を検出することが、前記確立された通信リンクの受信信号強度がしきい値を上回る量だけ増加または減少したかどうかを決定することを備えるように動作を実行するためにプロセッサ実行可能な命令で構成される、請求項９に記載のマルチモード通信デバイス。
【請求項１２】
前記プロセッサは、
前記マルチモード通信デバイスのロケーションが変化したかどうかを決定することと、
前記マルチモード通信デバイスの前記ロケーションが変化したと決定することに応答して、前記確立された通信リンクの前記ＲＡＴ以外の前記１つまたは複数のＲＡＴの信号についてスキャンすることと
をさらに備える動作を実行するためにプロセッサ実行可能な命令で構成される、
請求項８に記載のマルチモード通信デバイス。
【請求項１３】
前記プロセッサは、前記マルチモード通信デバイスのロケーションが変化したかどうかを決定することが、
前記マルチモード通信デバイスが移動したことを示す信号について、前記マルチモード通信デバイスのロケーションの変化を示すことができるリソースをモニタすることと、
前記マルチモード通信デバイスの移動がしきい値を上回るかどうかを前記信号から決定することと、
前記マルチモード通信デバイスの前記移動が前記しきい値を上回ると決定することに応答して、前記マルチモード通信デバイスの前記ロケーションが変化したと決定することと
を備えるように動作を実行するためにプロセッサ実行可能な命令で構成される、
請求項１２に記載のマルチモード通信デバイス。
【請求項１４】
前記プロセッサは、前記マルチモード通信デバイスのロケーションの変化を検出することができる前記リソースが、全地球的航法衛星システム受信機、全地球測位衛星システム受信機、加速度計、非データベアラ信号を受信するトランシーバ、基地局識別子、およびアクセスポイント識別子のうちの１つまたは複数を備えるように動作を実行するためにプロセッサ実行可能な命令で構成される、請求項１３に記載のマルチモード通信デバイス。
【請求項１５】
無線アクセス技術（ＲＡＴ）の使用を管理するための動作を実行することをマルチモード通信デバイスのプロセッサに行わせるように構成されたプロセッサ実行可能な命令を記憶した非一時的なプロセッサ読取可能な記憶媒体であって、前記動作は、
確立された通信リンクの前記ＲＡＴが最も高い優先度のＲＡＴでないことおよび前記マルチモード通信デバイスが静止状態であることを決定することに応答して、前記マルチモード通信デバイスが、前記確立された通信リンクの前記ＲＡＴ以外の１つまたは複数のＲＡＴの信号についてスキャンするのを防ぐこと
を備える、非一時的なプロセッサ読取可能な記憶媒体。
【請求項１６】
前記記憶されたプロセッサ実行可能な命令は、
前記確立された通信リンクの１つまたは複数の変化についてモニタすることと、
前記確立された通信リンクの１つまたは複数の変化を検出することに応答して、前記確立された通信リンクの前記ＲＡＴ以外の前記１つまたは複数のＲＡＴの信号についてスキャンすることと
をさらに備える動作を実行することを前記マルチモード通信デバイスの前記プロセッサに行わせるように構成される、請求項１５に記載の非一時的なプロセッサ読取可能な記憶媒体。
【請求項１７】
前記記憶されたプロセッサ実行可能な命令は、前記確立された通信リンクの１つまたは複数の変化を検出することが、前記確立された通信リンクの前記１つまたは複数の変化がしきい値を上回ると決定することを備えるように動作を実行することを前記マルチモード通信デバイスの前記プロセッサに行わせるように構成される、請求項１６に記載の非一時的なプロセッサ読取可能な記憶媒体。
【請求項１８】
前記記憶されたプロセッサ実行可能な命令は、前記確立された通信リンクの１つまたは複数の変化を検出することが、前記確立された通信リンクの受信信号強度がしきい値を上回る量だけ増加または減少したかどうかを決定することを備えるように動作を実行することを前記マルチモード通信デバイスの前記プロセッサに行わせるように構成される、請求項１６に記載の非一時的なプロセッサ読取可能な記憶媒体。
【請求項１９】
前記記憶されたプロセッサ実行可能な命令は、
前記マルチモード通信デバイスのロケーションが変化したかどうかを決定することと、
前記マルチモード通信デバイスの前記ロケーションが変化したと決定することに応答して、前記確立された通信リンクの前記ＲＡＴ以外の前記１つまたは複数のＲＡＴの信号についてスキャンすることと
をさらに備える動作を実行することを前記マルチモード通信デバイスの前記プロセッサに行わせるように構成される、請求項１５に記載の非一時的なプロセッサ読取可能な記憶媒体。
【請求項２０】
前記記憶されたプロセッサ実行可能な命令は、前記マルチモード通信デバイスのロケーションが変化したかどうかを決定することが、
前記マルチモード通信デバイスが移動したことを示す信号について、前記マルチモード通信デバイスのロケーションの変化を示すことができるリソースをモニタすることと、
前記マルチモード通信デバイスの移動がしきい値を上回るかどうかを前記信号から決定することと、
前記マルチモード通信デバイスの前記移動が前記しきい値を上回ると決定することに応答して、前記マルチモード通信デバイスの前記ロケーションが変化したと決定することと
を備えるように動作を実行することを前記マルチモード通信デバイスの前記プロセッサに行わせるように構成される、請求項１９に記載の非一時的なプロセッサ読取可能な記憶媒体。
【請求項２１】
前記記憶されたプロセッサ実行可能な命令は、前記マルチモード通信デバイスのロケーションの変化を検出することができる前記リソースが、全地球的航法衛星システム受信機、全地球測位衛星システム受信機、加速度計、非データベアラ信号を受信するトランシーバ、基地局識別子、およびアクセスポイント識別子のうちの１つまたは複数を備えるように動作を実行することを前記マルチモード通信デバイスの前記プロセッサに行わせるように構成される、請求項２０に記載の非一時的なプロセッサ読取可能な記憶媒体。
【請求項２２】
マルチモード通信デバイスであって、
確立された通信リンクの前記ＲＡＴが最も高い優先度のＲＡＴでないことおよび前記マルチモード通信デバイスが静止状態であることを決定することに応答して、前記マルチモード通信デバイスが、前記確立された通信リンクの前記ＲＡＴ以外の１つまたは複数のＲＡＴの信号についてスキャンするのを防ぐための手段
を備える、マルチモード通信デバイス。
【請求項２３】
前記確立された通信リンクの１つまたは複数の変化についてモニタするための手段と、
前記確立された通信リンクの１つまたは複数の変化を検出することに応答して、前記確立された通信リンクの前記ＲＡＴ以外の前記１つまたは複数のＲＡＴの信号についてスキャンするための手段と
をさらに備える、請求項２２に記載のマルチモードコンピューティングデバイス。
【請求項２４】
前記確立された通信リンクの１つまたは複数の変化を検出するための手段は、前記確立された通信リンクの前記１つまたは複数の変化がしきい値を上回ると決定するための手段を備える、請求項２３に記載のマルチモードコンピューティングデバイス。
【請求項２５】
前記確立された通信リンクの１つまたは複数の変化を検出するための手段は、前記確立された通信リンクの受信信号強度がしきい値を上回る量だけ増加または減少したかどうかを決定するための手段をさらに備える、請求項２３に記載のマルチモードコンピューティングデバイス。
【請求項２６】
前記マルチモード通信デバイスのロケーションが変化したかどうかを決定するための手段と、
前記マルチモード通信デバイスの前記ロケーションが変化したと決定することに応答して、前記確立された通信リンクの前記ＲＡＴ以外の前記１つまたは複数のＲＡＴの信号についてスキャンするための手段と
をさらに備える、請求項２２に記載のマルチモードコンピューティングデバイス。
【請求項２７】
前記マルチモード通信デバイスのロケーションが変化したかどうかを決定するための手段は、
前記マルチモード通信デバイスが移動したことを示す信号について、前記マルチモード通信デバイスのロケーションの変化を示すことができるリソースをモニタするための手段と、
前記マルチモード通信デバイスの移動がしきい値を上回るかどうかを前記信号から決定するための手段と、
前記マルチモード通信デバイスの前記移動が前記しきい値を上回ると決定することに応答して、前記マルチモード通信デバイスの前記ロケーションが変化したと決定するための手段と
を備える、請求項２６に記載のマルチモードコンピューティングデバイス。
【請求項２８】
前記マルチモード通信デバイスのロケーションの変化を検出することができる前記リソースは、全地球的航法衛星システム受信機、全地球測位衛星システム受信機、加速度計、非データベアラ信号を受信するトランシーバ、基地局識別子、およびアクセスポイント識別子のうちの１つまたは複数を備える、請求項２７に記載のマルチモードコンピューティングデバイス。
【発明の詳細な説明】
【背景技術】
【０００１】
[0001]「マルチモード」通信デバイスは、モバイル通信ネットワークにアクセスするための情報を記憶する１つまたは複数の加入者アイデンティティモジュール（ＳＩＭ）カードを含み得る。各ＳＩＭカードは、通信デバイスが、典型的にサブスクリプション（すなわち、加入者アカウント）を使用して通信ネットワークを介して通信することを可能にする。各ＳＩＭカードは、異なる無線アクセス技術（ＲＡＴ）および異なるサブスクリプションを利用し得る異なる通信ネットワークに関連付けられ得る。マルチモード通信デバイスは、１つまたは複数のセルラネットワークトランシーバ、および、ワイヤレスローカルエリアネットワーク（ＷＬＡＮ）に関連付けられたＲＡＴをサポートする１つまたは複数の短距離トランシーバ（例えば、Ｂｌｕｅｔｏｏｔｈ（登録商標）トランシーバ、Ｗｉ−Ｆｉトランシーバ、等）のような、各サブスクリプションが使用し得る複数の無線周波数（ＲＦ）リソースチェーンを含み得る。
【０００２】
[0002]マルチモード通信デバイスは、ネットワークオペレータ、ユーザ、等によって定義され得る優先順位にしたがってＲＡＴを使用し得る。マルチモード通信デバイスがパワーアップされると、このデバイスは、優先順位順に各ＲＡＴの信号を検出しようと試み得、利用可能な最も高い優先度のＲＡＴで通信リンクを確立し得る。マルチモード通信デバイスが、より低い優先度のＲＡＴ（例えば、第２または第３の優先度のＲＡＴ）を使用して通信を確立する場合、マルチモード通信デバイスは、より高い優先度のＲＡＴの利用可能性について周期的にスキャンすることとなり、これは、マルチモード通信デバイスのオペレーティングサイクルおよびバッテリ電力を消費する。
【発明の概要】
【０００３】
[0003]様々な実施形態およびインプリメンテーションは、無線アクセス技術（ＲＡＴ）の使用を管理するためにマルチモード通信デバイス上でインプリメントされる方法を含む。様々な実施形態およびインプリメンテーションは、確立された通信リンクのＲＡＴが最も高い優先度のＲＡＴでないことおよびマルチモード通信デバイスが静止状態である（stationary）ことを決定することに応答して、マルチモード通信デバイスが、確立された通信リンクのＲＡＴ以外の１つまたは複数のＲＡＴの信号についてスキャンするのを防ぐことを含み得る。
【０００４】
[0004]いくつかのインプリメンテーションは、確立された通信リンクの１つまたは複数の変化についてモニタすることと、確立された通信リンクの１つまたは複数の変化を検出することに応答して、確立された通信リンクのＲＡＴ以外の１つまたは複数のＲＡＴの信号についてスキャンすることとをさらに含み得る。いくつかのインプリメンテーションでは、確立された通信リンクの１つまたは複数の変化を検出することは、確立された通信リンクの１つまたは複数の変化がしきい値を上回ると決定することを含み得る。いくつかのインプリメンテーションでは、確立された通信リンクの１つまたは複数の変化を検出することは、確立された通信リンクの受信信号強度がしきい値を上回る量だけ増加または減少したかどうかを決定することを含み得る。
【０００５】
[0005]いくつかのインプリメンテーションは、マルチモード通信デバイスのロケーションが変化したかどうかを決定することと、マルチモード通信デバイスのロケーションが変化したと決定することに応答して、確立された通信リンクのＲＡＴ以外の１つまたは複数のＲＡＴの信号についてスキャンすることとをさらに含み得る。いくつかのインプリメンテーションでは、マルチモード通信デバイスのロケーションが変化したかどうかを決定することは、マルチモード通信デバイスが移動したことを示す信号について、マルチモード通信デバイスのロケーションの変化を示すことができるリソースをモニタすることと、マルチモード通信デバイスの移動がしきい値を上回るかどうかを信号から決定することとを含み得る。このようなインプリメンテーションでは、マルチモード通信デバイスのロケーションが変化したとの決定は、マルチモード通信デバイスの移動がしきい値を上回ると決定することに応答してなされ得る。いくつかのインプリメンテーションでは、マルチモード通信デバイスのロケーションの変化を検出することができるリソースは、全地球的航法衛星システム受信機、全地球測位衛星システム受信機、加速度計、非データベアラ信号を受信するトランシーバ、基地局識別子、およびアクセスポイント識別子のうちの１つまたは複数を含み得る。
【０００６】
[0006]さらなる実施形態は、上で要約した実施形態の方法の動作を実行するためにプロセッサ実行可能な命令で構成されたプロセッサを含むマルチモード通信デバイスを含む。さらなる実施形態は、上で要約した実施形態の方法の動作を実行することをプロセッサに行わせるように構成されたプロセッサ実行可能なソフトウェア命令を記憶している非一時的なプロセッサ読取可能な記憶媒体を含む。さらなる実施形態は、上で要約した実施形態の方法の機能を実行するための手段を含むマルチモード通信デバイスを含む。
【０００７】
[0007]本明細書に組み込まれ本明細書の一部を構成する添付の図面は、例となる実施形態を例示する。上で示した概要および次に示す詳細な説明とともに、これらの図面は、様々な実施形態を限定するのではなく様々な実施形態の特徴を説明する働きをする。
【図面の簡単な説明】
【０００８】
【図１】[0008]図１は、様々な実施形態での使用に適した通信システムの構成要素ブロック図である。
【図２】[0009]図２は、様々な実施形態に係る、マルチモード通信デバイスの構成要素ブロック図である。
【図３】[0010]図３は、様々な実施形態に係る、マルチモード通信デバイスにおいてＲＡＴの使用を管理するための方法を例示するプロセスフロー図である。
【図４】[0011]図４は、様々な実施形態に係る、マルチモード通信デバイスにおいてＲＡＴの使用を管理するための方法を例示するプロセスフロー図である。
【図５】[0012]図５は、様々な実施形態での使用に適したマルチモード通信デバイスの構成要素ブロック図である。
【図６】[0013]図６は、様々な実施形態での使用に適したマルチモード通信デバイスの構成要素ブロック図である。
【発明の詳細な説明】
【０００９】
[0014]様々な実施形態が添付の図面を参照して詳細に説明されるであろう。可能な限り、同一または同様の部分を指すために、図面全般にわたって同一の参照番号が使用されるであろう。特定の例およびインプリメンテーションに対してなされる参照は、例示を目的としたものであり、特許請求の範囲の範囲を限定するように意図されたものではない。
【００１０】
[0015]様々な実施形態は、マルチモード通信デバイスが静止状態のままである間、より高い優先度のＲＡＴについての不必要なスキャンを回避するように１つまたは複数のＲＡＴの使用を管理することでリソース消費およびデバイス効率を改善する、マルチモード通信デバイス上でインプリメントされる方法を含む。
【００１１】
[0016]「マルチモード通信デバイス」という用語は、複数の無線アクセス技術（ＲＡＴ）を使用した１つまたは複数のサブスクリプション上での通信をサポートするように構成された１つまたは複数の共有ＲＦリソースチェーンおよびプログラマブルプロセッサを含む任意の通信デバイスを指す。マルチモード通信デバイスの例には、セルラ電話、スマートフォン、ラップトップコンピュータ、タブレットコンピュータ、スマートブック、パルムトップコンピュータ、ワイヤレス電子メール受信機、マルチメディアインターネット対応のセルラ電話、ワイヤレスゲーミングコントローラ、および同様の電子デバイスが含まれる。
【００１２】
[0017]「構成要素」、「システム」、等の用語は、特定の動作または機能を実行するように構成されたハードウェア、ファームウェア、ハードウェアとソフトウェアを組み合わせたもの、ソフトウェア、実行中のソフトウェアのようなのであるがそれに限定されないコンピュータ関連エンティティを含み得る。例えば、構成要素とは、プロセッサ上で実行中のプロセス、プロセッサ、オブジェクト、実行ファイル、実行スレッド、プログラム、および／またはコンピュータであり得るがそれらに限定されない。例示として、通信デバイス上で実行中のアプリケーションと、その通信デバイスとは両方とも構成要素と呼ばれ得る。１つまたは複数の構成要素は、プロセスおよび／または実行スレッド内に存在し得、１つの構成要素は、１つのプロセッサまたはコア上に局所化される、および／または、２つ以上のプロセッサまたはコア間で分散され得る。加えて、これらの構成要素は、様々な命令および／またはデータ構造を記憶している様々な非一時的なコンピュータ読取可能な媒体により実行し得る。構成要素は、ローカルおよび／またはリモートプロセス、機能またはプロシージャ呼出し、電子信号、パケットデータ、メモリ読取り／書込み、ならびに他の既知のコンピュータ、プロセッサ、および／またはプロセス関連通信方法を手段として通信し得る。
【００１３】
[0018]マルチモード通信デバイスは、異なるＲＡＴ（例えば、ＬＴＥ（登録商標）、ＧＳＭ（登録商標）、４Ｇ、３Ｇ、等）を介して各々通信し得る１つまたは複数のセルラデータ通信ネットワークを介して通信デバイスが通信することを可能にする１つまたは複数のＳＩＭカードを含み得る。いくつかのマルチモード通信デバイスはまた、マシンタイプ通信（ＭＴＣ）を実行するように構成され得る。いくつかのマルチモード通信デバイスは、ワイヤレスローカルエリアネットワーク（ＷＬＡＮ）ＲＡＴを介した通信を可能にするＷｉ−ＦｉトランシーバおよびＢｌｕｅｔｏｏｔｈトランシーバを含む追加の無線周波数リソースを含み得る。
【００１４】
[0019]多くの使用状況では、アクティブ通信をサポートするマルチモード通信デバイスは、長い時間期間の間、比較的静止状態のままであろう。例えば、モバイル通信デバイスのユーザは、（例えば、話すこと、メールを打つこと（texting）、メディアをストリーミングすること、ソフトアクセスポイント（ソフトＡＰ）としてデバイスを使用すること、等を行う間）、彼らのデバイスを使用するために動きを停止することが多い。また、マルチモード通信デバイスのうちの多くのタイプは、常時静止状態である（normally stationary）。常時静止状態のマルチモード通信デバイスいくつかの例には、ワイヤレス水道使用量メータ、ワイヤレス電気使用量メータ、パーキングメータ、汚染モニタ、街路灯モニタ、機械類の補修センサ、気象および大気状態センサ、パーソナルコンピュータ、ワイヤレスアクセスポイント、および「モノのインターネット」デバイスが含まれる。
【００１５】
[0020]典型的なマルチモード通信デバイスは、優先順位にしたがって、通信リンクを確立するために使用するためのＲＡＴを選択する。ゆえに、マルチモード通信デバイスは典型的に、最も高い優先度のＲＡＴでワイヤレス通信リンクを確立しようとする際、利用可能なＲＡＴの周波数をスキャンする。ワイヤレス通信リンクが最も高い優先度のＲＡＴで確立されることができない場合、マルチモード通信デバイスは、２番目に高い優先度のＲＡＴの周波数についてスキャンし、ワイヤレス通信リンクが確立されるまでこれが続き得る。ＲＡＴの優先度は、例えば、ネットワークオペレータ、ユーザ、等によって、あらかじめ定義され得る。例えば、マルチモード通信デバイスが、パワーアップされるか非稼働状態（out of service condition）から回復すると、このデバイスは、優先順位順に各ＲＡＴの信号についてモニタし、利用可能な最も高い優先度のＲＡＴで通信リンクを確立し得る。しかしながら、マルチモード通信デバイスがより低い優先度のＲＡＴ（例えば、第２または第３の優先度のＲＡＴ）を使用して通信を確立する場合、従来のマルチモード通信デバイスは、１つまたは複数のより高い優先度のＲＡＴの利用可能性について周期的にスキャンする。
【００１６】
[0021]より高い優先度のＲＡＴについてスキャンすることは、最も高い優先度のＲＡＴでのサービスが利用可能になるときに、マルチモード通信デバイスがこのようなＲＡＴを使用することを可能にする。ゆえに、より高い優先度のＲＡＴについて周期的にスキャンする従来の動作は、モバイルマルチモード通信デバイスにとって重要な目的を果たす。しかしながら、マルチモード通信デバイスが静止状態のままである場合、より高い優先度のＲＡＴが利用可能になることはないであろう。
【００１７】
[0022]より高い優先度のＲＡＴについてスキャンすることは、マルチモード通信デバイスのオペレーティングサイクルおよびバッテリ電力を消費する。ゆえに、マルチモード通信デバイスが静止状態である（そのため、利用可能なＲＡＴが変化しそうにない）場合、より高い優先度のＲＡＴについてスキャンすることは、通信帯域幅、マルチモード通信デバイスの処理リソース、およびマルチモード通信デバイスの貯蔵された電力を含む通信リソースの浪費である。
【００１８】
[0023]様々な実施形態は、通信リンクが、最も高い優先度のＲＡＴではないＲＡＴ（「より低い優先度のＲＡＴ」）で確立されており、デバイスが静止状態であるときに、より高い優先度のＲＡＴについてのスキャンを防ぐことで、マルチモード通信デバイスのプロセッサがＲＡＴの使用を管理することを可能にする。様々な実施形態は、より高い優先度のＲＡＴが検出されそうにないとき、ワイヤレス通信リソースの消費およびマルチモード通信デバイスの電力を低減する。いくつかの実施形態では、マルチモード通信デバイスは、静止状態の間、マルチモードからシングルモードに通信モードを動的に切り替え得る。
【００１９】
[0024]いくつかの実施形態では、マルチモード通信デバイスが、より低い優先度のＲＡＴで通信リンクを確立している間、このデバイスは、このデバイスの移動を示し得る確立された通信リンクの１つまたは複数の変化についてモニタし得る。確立された通信リンクの１つまたは複数の変化を検出することに応答して、マルチモード通信デバイスは、より高い優先度のＲＡＴについて再度スキャンし得る。いくつかの実施形態では、マルチモード通信デバイスは、確立された通信リンクの１つまたは複数の変化がしきい値を上回ると決定することに応答して、より高い優先度のＲＡＴについて再度スキャンし得る。いくつかの実施形態では、通信デバイスは、確立された通信リンクの１つまたは複数の変化を検出することに応答して、シングルモードからマルチモードに動的に切り替わり得る。
【００２０】
[0025]モニタされ得る確立された通信リンクの態様には、トラフィックチャネル、パイロットチャネル、１つまたは複数の帯域外チャネル、および他のチャネルが含まれ得る。例えば、マルチモード通信デバイスは、確立された通信リンクからの受信信号の強度の変化についてモニタし得る。確立された通信リンクの信号強度の増加または減少はいずれも、マルチモード通信デバイスが通信しているアクセスポイントに対してこのデバイスが移動したことを示し得る。別の例として、マルチモード通信デバイスは、確立された通信リンクのパケット損失またはブロック誤り率（ＢＥＲ）のような、誤り率の変化についてモニタし得、これは、このデバイスが、このデバイスが通信しているアクセスポイントに対して移動するときに生じ得る。別の例として、マルチモード通信デバイスは、アクセスポイント識別子、基地局識別子、タイミング誤り訂正、および／またはアクセスチャネルの変化についてモニタし得る。観測された信号強度、誤り率、および／または移動を示す他のインジケーションの変化をしきい値と比較することは、マルチモード通信デバイスが、この変化がこのデバイスのロケーションの実質的な変化を示すのに十分である（すなわち、このデバイスは、より高い優先度のＲＡＴが利用可能になり得るほど十分遠くに動いた）ときにのみより高い優先度のＲＡＴについてのスキャンを再度アクティブにすることを可能にし得る。
【００２１】
[0026]いくつかの実施形態では、マルチモード通信デバイスはまた、または、代替的に、マルチモード通信デバイスのロケーションが変化したかどうかを示すことができる（通信リンク以外の）１つまたは複数のリソースをモニタすることでマルチモード通信デバイスが静止状態であるかどうかを決定し得る。マルチモード通信デバイスのロケーションが変化したかどうかを示すことができるリソースまたはイベントの例には、全地球測位システム（ＧＰＳ）受信機のような全地球的航法衛星システム（ＧＮＳＳ）受信機、加速度計、他のＲＡＴ受信機（例えば、アクセスポイントからの信号を検出し得るＷｉ−Ｆｉトランシーバ）、通信リンクが確立されているネットワークから受信されるロケーション情報、確立された通信リンク上での基地局アイデンティティ（ＩＤ）の変化が含まれる。いくつかの実施形態では、マルチモード通信デバイスによって検出されるロケーションの変化は、しきい値距離と比較され得、ロケーションが変化したとの決定と、より高い優先度のＲＡＴのスキャンとは、ロケーションの変化がしきい値距離を上回ることに応答して実行されるべきである。例えば、マルチモード通信デバイスは、しきい値時間期間の間、ＧＰＳ座標に基づいて、マルチモード通信デバイスがしきい値半径またはエリアを超えて移動したかどうかを決定し得る。マルチモード通信デバイスがマルチモード通信デバイスのロケーションの変化を検出した場合、マルチモード通信デバイスは、より高い優先度のＲＡＴが利用可能であるかどうかを決定するために、様々なＲＡＴのスキャン（これは、優先順位順であり得る）を再度アクティブにし得る。
【００２２】
[0027]様々な実施形態が、様々な通信システム、具体的には２つ以上の通信ネットワークを含むシステム、内で動作し得るマルチモード通信デバイスにおいてインプリメントされ得る。図１は、様々な実施形態での使用に適した通信システム１００を例示する。マルチモード通信デバイス１１０は、第１の基地局１３０への通信リンク１４０を通して第１の通信ネットワーク１２０と通信し得る。マルチモード通信デバイス１１０はまた、第２の基地局１３５への通信リンク１４５を通して第２の通信ネットワーク１２５と通信し得る。第１の基地局１３０は、ワイヤードまたはワイヤレス通信リンク１５０上で第１の通信ネットワーク１２０と通信し得、第２の基地局１３５は、ワイヤードまたはワイヤレス通信リンク１５５上で第２の通信ネットワーク１２５と通信し得る。通信リンク１５０および１５５は、光ファイババックホールリンク、マイクロ波バックホールリンク、および他の適切な通信リンクを含み得る。
【００２３】
[0028]通信ネットワーク１２０および１２５の各々は、１つまたは複数のＲＡＴを使用して通信をサポートし得、ワイヤレス通信リンク１４０および１４５の各々は、１つまたは複数のＲＡＴを使用する双方向ワイヤレス通信リンクを通して行われ得るセルラ接続を含み得る。ＲＡＴの例には、３ＧＰＰ（登録商標）ロングタームエボリューション（ＬＴＥ）、モビリティのためのグローバルシステム（ＧＳＭ）、符号分割多元接続（ＣＤＭＡ）、ＷＣＤＭＡ（登録商標）、時分割多元接続（ＴＤＭＡ）、ＷｉＭＡＸ（Worldwide Interoperability for Microwave Access）、シングルキャリア無線送信技術（１ｘＲＴＴ）、進化データ最適化（ＥＶ−ＤＯ）、および他のＲＡＴが含まれ得る。ＲＡＴには、米国電気電子学会（ＩＥＥＥ）８０２プロトコルファミリの短距離通信プロトコル（例えば、Ｗｉ−Ｆｉ、ＺｉｇＢｅｅ、Ｂｌｕｅｔｏｏｔｈ、等）も含まれ得る。通信リンク１４０および１４５は単一のリンクとして例示されているが、これらの通信リンクの各々は、複数の周波数または周波数帯域を含み得、これらは各々、複数の論理チャネルを含み得る。追加的に、通信リンク１４０および１４５の各々は、１つよりも多くのＲＡＴを利用し得る。
【００２４】
[0029]図２は、様々な実施形態をインプリメントするのに適したマルチモード通信デバイス２００の構成要素ブロック図である。図１および２を参照すると、様々な実施形態では、マルチモード通信デバイス２００は、マルチモード通信デバイス１１０に類似し得る。マルチモード通信デバイス２００は、第１のサブスクリプションに関連付けられ得る第１のアイデンティティモジュールＳＩＭ−１ ２０４ａを受信し得る第１のＳＩＭインターフェース２０２ａを含み得る。マルチモード通信デバイス２００は、オプション的にまた、第２のサブスクリプションに関連付けられ得る第２のアイデンティティモジュールＳＩＭ−２ ２０４ｂを受信し得る第２のＳＩＭインターフェース２０２ｂを含み得る。
【００２５】
[0030]様々な実施形態におけるＳＩＭは、ＳＩＭおよび／またはＵＳＩＭ（ユニバーサル加入者アイデンティティモジュール）アプリケーションで構成されたＵＩＣＣ（Universal Subscriber Identity Module）であり得、これは、例えば、ＧＳＭおよび／またはユニバーサルモバイル通信システム（ＵＭＴＳ）ネットワークへのアクセスを可能にする。ＵＩＣＣはまた、電話帳および他のアプリケーションのために記憶装置を提供し得る。代替的に、ＣＤＭＡネットワークでは、ＳＩＭは、カード上のＵＩＣＣ取外し可能なアイデンティティモジュール（Ｒ−ＵＩＭ）またはＣＤＭＡ加入者アイデンティティモジュール（ＣＳＩＭ）であり得る。各ＳＩＭカードは、ＣＰＵ、ＲＯＭ、ＲＡＭ、ＥＥＰＲＯＭ（登録商標）、およびＩ／Ｏ回路を有し得る。様々な実施形態において使用されるＳＩＭは、ユーザアカウント情報、国際モバイル加入者アイデンティティ（ＩＭＳＩ）、ＳＩＭアプリケーションツールキット（ＳＡＴ）コマンドのセット、電話帳のコンタクトのための記憶空間を含み得る。ＳＩＭカードは、このＳＩＭカードのネットワークオペレータプロバイダを示すためにＨＰＬＭＮ（Home-Public-Land-Mobile-Network）コードをさらに記憶し得る。集積回路カードアイデンティティ（ＩＣＣＩＤ）ＳＩＭシリアル番号は、識別のためにＳＩＭカード上にプリントされ得る。
【００２６】
[0031]マルチモード通信デバイス２００は、コーダ／デコーダ（ＣＯＤＥＣ）２０８に結合され得る、汎用プロセッサ２０６のような、少なくとも１つのコントローラを含み得る。ＣＯＤＥＣ２０８は、次に、スピーカ２１０およびマイクロフォン２１２に結合され得る。汎用プロセッサ２０６はまた、少なくとも１つのメモリ２１４に結合され得る。メモリ２１４は、プロセッサ実行可能な命令を記憶する非一時的なコンピュータ読取可能な記憶媒体であり得る。メモリ２１４は、オペレーティングシステム（ＯＳ）だけでなく、ユーザアプリケーションソフトウェアおよび実行可能な命令を記憶し得る。メモリ２１４はまた、アレイデータ構造のようなアプリケーションデータを記憶し得る。
【００２７】
[0032]汎用プロセッサ２０６は、モデム２３０に結合され得る。モデム２３０は、メモリ２２２および変調器／復調器２２８に結合され得る少なくとも１つのベースバンドモデムプロセッサ２１６を含み得る。ベースバンドモデムプロセッサ２１６は、物理的または論理的に別個のベースバンドモデムプロセッサ（例えば、ＢＢ１、ＢＢ２）を含み得る。変調器／復調器２２８は、ベースバンドモデムプロセッサ２１６からデータを受信し得、符号化されたデータでキャリア信号を変調し、変調された信号を、送信のためにＲＦリソースチェーン２１８に供給し得る。変調器／復調器２２８はまた、ＲＦリソースチェーン２１８から受信される、変調されたキャリア波から情報伝達信号（information-bearing signal）を抽出し得、復調された信号をベースバンドモデムプロセッサ２１６に供給し得る。変調器／復調器２２８は、デジタルシグナルプロセッサ（ＤＳＰ）であり得るかそれを含み得る。
【００２８】
[0033]いくつかのオプションの実施形態では、マルチモード通信デバイス２００は、ＲＦリソースチェーン２１８と同様に構成され、かつ、オプションのワイヤレスアンテナ２２１に結合されたオプションのＲＦリソースチェーン２１９を含み得る。このような実施形態では、マルチモード通信デバイス２００は、離調イベントの間、ダイバーシティ受信機受信を実行するために、複数のＲＦリソースチェーン２１８，２１９およびアンテナ２２０，２２１を利用し得る。
【００２９】
[0034]ベースバンドモデムプロセッサ２１６は、メモリ２２２から情報を読み取り、それに書き込み得る。メモリ２２２はまた、プロトコルスタックＳ１ ２２２ａおよびプロトコルスタックＳ２ ２２２ｂのようなプロトコルスタックに関連付けられた命令を記憶し得る。プロトコルスタックＳ１ ２２２ａ，Ｓ２ ２２２ｂは一般に、無線アクセスプロトコルまたは通信プロトコルを使用した通信を可能にするコンピュータ実行可能な命令を含む。各プロトコルスタックＳ１ ２２２ａ，Ｓ２ ２２２ｂは典型的に、ネットワーキング能力を提供するために、階層的に構造化されたネットワークプロトコルレイヤを含む。モデム２３０は、１つまたは複数のＲＡＴを使用した通信を可能にするために、プロトコルスタックＳ１ ２２２ａ，Ｓ２ ２２２ｂのうちの１つまたは複数を含み得る。プロトコルスタックＳ１ ２２２ａ，Ｓ２ ２２２ｂは、サブスクリプションで構成されたＳＩＭカード（例えば、ＳＩＭ−１ ２０４ａ，ＳＩＭ−２ ２０４ｂ）に関連付けられ得る。例えば、プロトコルスタックＳ１ ２２２ａおよびプロトコルスタックＳ２ ２２２ｂは、ＳＩＭ−１ ２０４ａに関連付けられ得る。２つだけのプロトコルスタックＳ１ ２２２ａ，Ｓ２ ２２２ｂの例示は、制限を目的としたものではなく、メモリ２２２は、２つよりも多くのプロトコルスタック（図示されない）を記憶し得る。
【００３０】
[0035]マルチモード通信デバイス２００における各ＳＩＭおよび／またはＲＡＴ（例えば、ＳＩＭ−１ ２０４ａ，ＳＩＭ−２ ２０４ｂ）は、モデム２３０に結合され得、ＲＦリソースチェーンに関連付けられるかそれを使用することが許可され得る。「ＲＦリソースチェーン」という用語は、ＲＦ信号を送るおよび／または受信するために使用される回路のすべてを指す。例えば、ＲＦリソースチェーンは、ＲＡＴで通信する／ＲＡＴを制御するためのベースバンド／モデム機能を実行するベースバンドモデムプロセッサ２１６と、ＲＦリソースチェーン２１８として示される送信機および受信機構成要素を含む１つまたは複数の無線ユニットと、１つまたは複数のワイヤレスアンテナ２２０と、１つまたは複数の増幅器および無線機を含み得る追加の回路を含み得る。マルチモード通信デバイス２００はまた、オプションのＲＦリソースチェーン２１９およびオプションのワイヤレスアンテナ２２１を含み得る。いくつかの実施形態では、ＲＦリソースチェーンは、共通のベースバンドモデムプロセッサ２１６（すなわち、マルチモード通信デバイス上のすべてのＲＡＴについてのベースバンド／モデム機能を実行する単一のデバイス）を共有し得る。いくつかの実施形態では、各ＲＦリソースチェーンは、物理的または論理的に別個のベースバンドプロセッサ（例えば、ＢＢ１、ＢＢ２）を含み得る。
【００３１】
[0036]ＲＦリソースチェーン２１８，２１９は、１つまたは複数のＲＡＴに関連付けられたトランシーバを含み得、マルチモード通信デバイスのための送信／受信機能をそれらのそれぞれのＲＡＴの代わりに実行し得る。ＲＦリソースチェーン２１８，２１９は、別個の送信および受信回路を含み得る。いくつかの実施形態では、ＲＦリソースチェーン２１８は、受信回路のみを含み得る。ＲＦリソースチェーン２１８，２１９は、各々、ワイヤレスアンテナ（例えば、第１のワイヤレスアンテナ２２０および第２のワイヤレスアンテナ２２１）に結合され得る。ＲＦリソースチェーン２１８，２１９はまた、モデム２３０（例えば、変調器／復調器２２８、ベースバンドモデムプロセッサ２１６、または別の構成要素を介して）に結合され得る。
【００３２】
[0037]いくつかの実施形態では、汎用プロセッサ２０６、メモリ２１４、ベースバンドプロセッサ２１６、およびＲＦリソースチェーン２１８，２１９は、システムオンチップとしてマルチモード通信デバイス２００に含まれ得る。いくつかの実施形態では、第１のＳＩＭ２０４ａおよび第２のＳＩＭ２０４ｂならびにそれらの対応するインターフェース２０２ａ，２０２ｂは、このシステムオンチップに外付けであり得る。さらに、様々な入力および出力デバイスは、インターフェースまたはコントローラのような、システムオンチップ上の構成要素に結合され得る。マルチモード通信デバイス２００での使用に適した例となるユーザ入力構成要素は、キーパッド２２４およびタッチスクリーンディスプレイ２２６を含み得るがそれらに限定されない。
【００３３】
[0038]いくつかの実施形態では、キーパッド２２４、タッチスクリーンディスプレイ２２６、マイクロフォン２１２、またはそれらの組合せは、発呼を開始するよう求める要求を受信する機能を実行し得る。例えば、タッチスクリーンディスプレイ２２６は、コンタクトリストからの１つのコンタクトの選択を受け取り得、および／または、電話番号を受け取り得る。別の例では、タッチスクリーンディスプレイ２２６およびマイクロフォン２１２の一方または両方が、発呼を開始するよう求める要求を受け取る機能を実行し得る。別の例として、発呼を開始するよう求める要求は、マイクロフォン２１２を介して受け取られるボイスコマンドの形であり得る。マルチモード通信デバイス２００内の様々なソフトウェアモジュールおよび機能間の通信を可能にするためにそれらの間にインターフェースが設けられ得る。
【００３４】
[0039]相互に機能し合うと、２つのＳＩＭ２０４ａ，２０４ｂ、ベースバンドプロセッサ２１６、ＲＦリソースチェーン２１８，２１９、およびアンテナ２２０，２２１は、２つ以上のＲＡＴ上での通信を可能にし得る。例えば、１つのＳＩＭ、ベースバンドプロセッサ、およびＲＦリソースチェーンは、２つの異なるＲＡＴをサポートするように構成され得る。いくつかの実施形態では、追加のモバイルネットワークに接続するためのより多くのＳＩＭカード、ＳＩＭインターフェース、ＲＦリソースチェーン、およびアンテナを加えることで、より多くのＲＡＴがマルチモード通信デバイス２００上でサポートされ得る。
【００３５】
[0040]図３は、いくつかの実施形態に係る、マルチモード通信デバイス（例えば、図１および２のマルチモード通信デバイス１１０，２００）において無線アクセス技術の使用を管理するための方法３００を例示する。図１−３を参照すると、方法３００は、例えば、マルチモード通信デバイスのプロセッサ（すなわち、デバイスプロセッサ）（例えば、汎用プロセッサ２０６、ベースバンドプロセッサ２１６、別個のコントローラ、および／または同様のもの）の制御下で、マルチモード通信デバイス（例えば、マルチモード通信デバイス１１０，２００）によってインプリメントされ得る。
【００３６】
[0041]ブロック３０２において、プロセッサが、マルチモード通信デバイスのパワーアッププロセスを実行する（すなわち、プロセッサがマルチモード通信デバイスをパワーアップし得る）か、非稼働状態から回復すると、方法３００が開始され得る。ブロック３０４において、プロセッサは、１つまたは複数のネットワークおよび／またはアクセスポイントによって送信された、１つまたは複数のＲＡＴの１つまたは複数の信号についてスキャンし得る。いくつかのインプリメンテーションでは、プロセッサは、ＲＡＴの優先順位順に、１つまたは複数のＲＡＴの信号についてスキャンし得る。このような優先順位は、ネットワークオペレータによってまたはマルチモード通信デバイスのユーザによってインプリメントされ得る。いくつかのインプリメンテーションでは、優先順位は、無線経由（ＯＴＡ）信号を使用して設定または更新され得る。
【００３７】
[0042]決定ブロック３０６において、プロセッサは、プロセッサが最も高い優先度のＲＡＴの信号を受信したかどうかを決定し得る。いくつかのインプリメンテーションでは、最も高い優先度のＲＡＴは、ＲＡＴのリストの中で、利用可能な最も高いデータスループットおよび／またはデータレートを有するＲＡＴであり得る。ＲＡＴのリストは、ＲＡＴの優先順位リストであり得る。
【００３８】
[0043]プロセッサが最も高い優先度のＲＡＴの信号を受信したと決定すること（すなわち、決定ブロック３０６＝「Ｙｅｓ」）に応答して、プロセッサは、ブロック３０８において、最も高い優先度のＲＡＴを使用して通信リンクを確立し得る。例えば、プロセッサは、通信ネットワークの基地局（例えば、基地局１３０，１３５）と通信リンクを確立し得る。ブロック３１０において、プロセッサは、最も高い優先度のＲＡＴを使用して通信し得る。最も高い優先度のＲＡＴを使用する通信リンクの１つまたは複数のメトリックがしきい値を下回る（例えば、信号強度または信号品質が、例えば、信号の劣化または損失によりしきい値を下回る）ことをプロセッサが決定すると、プロセッサは、方法３００を繰り返し得る。
【００３９】
[0044]プロセッサが最も高い優先度のＲＡＴの信号を受信していないと決定すること（すなわち、決定ブロック３０８＝「Ｎｏ」）に応答して、プロセッサは、決定ブロック３１２において、それが他のＲＡＴ（すなわち、最も高い優先度のＲＡＴではないＲＡＴ）の信号を受信したかどうかを決定し得る。いくつかのインプリメンテーションでは、プロセッサは、他のＲＡＴの信号を２つ以上受信し得、これら２つ以上の他のＲＡＴの中から最も高い優先度のＲＡＴを選択し得る。いくつかのインプリメンテーションでは、プロセッサは、優先順位順に、他の（すなわち、最も高い優先度のＲＡＴではない）ＲＡＴの１つまたは複数の信号についてスキャンし得る。プロセッサが、他のＲＡＴの信号を受信していないと決定すること（すなわち、決定ブロック３１２＝「Ｎｏ」）に応答して、デバイスプロセッサは、続いて、ブロック３０４において、１つまたは複数のＲＡＴの信号についてスキャンし得る。
【００４０】
[0045]プロセッサが他のＲＡＴ（すなわち、最も高い優先度のＲＡＴではないＲＡＴ）の信号を受信したと決定すること（すなわち、決定ブロック３１２＝「Ｙｅｓ」）に応答して、デバイスプロセッサは、ブロック３１４において、受信した信号のＲＡＴを使用して通信リンクを確立し得る。例えば、プロセッサは、通信ネットワークの基地局（例えば、基地局１３０，１３５）と通信リンクを確立し得る。ブロック３１６において、プロセッサは、確立された通信リンクのＲＡＴを使用して通信し得る。
【００４１】
[0046]決定ブロック３２０において、プロセッサは、マルチモード通信が静止状態であるかどうかを決定し得る。例えば、プロセッサは、確立された通信リンクの１つまたは複数の特性がしきい値量だけ変化しなかったかどうか、および／または、マルチモード通信デバイスが、しきい値の時間期間間の間、しきい値範囲またはエリア内に留まっているかどうかを決定し得る。
【００４２】
[0047]プロセッサは、マルチモード通信デバイスのロケーションの変化を検出することができる様々なメカニズムおよびリソースを使用してマルチモード通信デバイスが静止状態であるか移動したかを決定し得る。
【００４３】
[0048]いくつかのインプリメンテーションでは、プロセッサは、通信リンクの１つまたは複数の態様をモニタし得る。例えば、プロセッサは、確立された通信リンクの信号レベルをモニタし得る。通信ネットワークからの信号は、セルラアクセスポイントからの信号、短距離アクセスポイントからの信号（例えば、Ｗｉ−Ｆｉ）、および他の同様の信号を含み得る。様々な実施形態では、マルチモード通信デバイスは、通信リンクの信号の１つまたは複数の変化について、この信号をモニタし得る。通信リンクの信号は、トラフィックチャネル、パイロットチャネル、１つまたは複数の帯域外チャネル、および他のチャネルのような１つまたは複数のチャネルを含み得る。通信リンクの変化は、しきい値を超える通信リンクの信号強度の減少または増加、パケット損失率の増加または減少、ブロック誤り率の増加または減少、通信リンク上で通信するために使用される変調およびコード化スキーム（ＭＣＳ）の変更、または、マルチモード通信デバイスがそれの前の静止ロケーションから移動したことを示す通信リンク状態の他の変化を含み得る。いくつかのインプリメンテーションでは、プロセッサは、通信リンク信号の１つまたは複数の態様がしきい値レベルを超えて変化したと決定することに応答して、マルチモード通信デバイスが静止状態でないと決定し得る。いくつかのインプリメンテーションでは、プロセッサは、通信リンク信号の１つまたは複数の態様が、しきい値時間期間内にしきい値レベルを超えて変化したと決定することに応答して、マルチモード通信デバイスが静止状態でないと決定し得る。
【００４４】
[0049]追加的にまたは代替的に、プロセッサは、マルチモード通信デバイスのロケーションの変化を検出することができる、確立された通信リンクに関するリソース以外の１つまたは複数のリソースを使用してマルチモード通信デバイスが静止状態であるかどうかを決定し得る。このような他のリソースの例には、ＧＮＳＳまたはＧＰＳ受信機から受信された情報のうちの１つまたは複数、加速度計、他のＲＡＴ受信機（例えば、アクセスポイントからの信号を検出し得るＷｉ−Ｆｉトランシーバ）、非データベアラ信号（例えば、基地局／アクセスポイント三角測量に使用され得るような、パイロット信号、制御信号、またはベアラデータトラフィックを搬送しない別の同様の信号）を受信するトランシーバ、および１つまたは複数の基地局／アクセスポイント識別子が含まれる。いくつかのインプリメンテーションでは、プロセッサは、マルチモード通信デバイスのロケーションがしきい値時間期間内にしきい値距離を超えて変化したと決定することに応答して、マルチモード通信デバイスが静止状態でないと決定し得る。しきい値距離は、しきい値半径またはしきい値エリアであり得る。
【００４５】
[0050]マルチモード通信デバイスが静止状態でないと決定すること（すなわち、決定ブロック３２０＝「Ｎｏ」）に応答して、プロセッサは、続いて、ブロック３０４において、１つまたは複数のＲＡＴの１つまたは複数の信号についてスキャンし得る。
【００４６】
[0051]マルチモード通信デバイスが静止状態であること（すなわち、決定ブロック３２０＝「Ｙｅｓ」）かつ通信リンクが最も高い優先度のＲＡＴではないＲＡＴで確立されていることを決定することに応答して（ブロック３１４）、プロセッサは、ブロック３２２において、最も高い優先度のＲＡＴの信号についてのスキャンを防ぐまたはブロックし得る。
【００４７】
[0052]ブロック３２４において、プロセッサは、通信リンクおよび／またはマルチモード通信デバイスのロケーションの１つまたは複数の変化についてモニタし得る。プロセッサは、決定ブロック３２０に関連して上で説明した信号特性および／またはリソースをモニタすることでそれを行い得る。例えば、プロセッサは、しきい値を超える通信リンクの信号強度の減少または増加、パケット損失率の増加または減少、ブロック誤り率の増加または減少、通信リンク上で通信するために使用される変調およびコード化スキーム（ＭＣＳ）の変更、または、マルチモード通信デバイスがそれの前の静止ロケーションから移動したことを示す通信リンク状態の他の変化についてモニタし得る。プロセッサは、通信リンク信号および／またはマルチモード通信デバイスのロケーションの１つまたは複数の態様がしきい値レベルを超えて変化したと決定することに応答して、マルチモード通信デバイスが移動したかもはや静止状態でない（そのため、ＲＡＴスキャンが再度アクティブにされるべきである）と決定し得る。
【００４８】
[0053]追加的にまたは代替的に、ブロック３２４の動作の一環として、プロセッサは、マルチモード通信デバイスのロケーションの変化を検出することができる他のリソースを使用して、このデバイスが静止状態であるかどうかを決定し得る。例えば、プロセッサは、マルチモード通信デバイスが移動したことを示す信号について、マルチモード通信デバイスのロケーションの変化を検出することができるリソースをモニタし得る。リソースには、ＧＮＳＳ／ＧＰＳ受信機、他のＲＡＴ受信機、通信リンクが確立されているネットワークから受信されたロケーション情報、基地局／アクセスポイント三角測量、および１つまたは複数の基地局／アクセスポイント識別子のうちの１つまたは複数が含まれ得る。例えば、プロセッサは、ＧＮＳＳまたはＧＰＳ受信機によってまたは通信ネットワークから受信された、マルチモード通信デバイスが静止状態であるか移動したことを示す情報の変化を検出し得る。別の例として、プロセッサは、マルチモード通信デバイスのロケーションを決定するために基地局三角測量を実行し得る。別の例として、プロセッサは、新しい基地局またはアクセスポイント識別子を検出し得るか、基地局またはアクセスポイント識別子の損失を検出し得、これらは、マルチモード通信デバイスが移動したことを示し得る。
【００４９】
[0054]さらにブロック３２４における動作の一環として、プロセッサはまた、通信リンク信号の１つまたは複数の態様および／またはマルチモード通信デバイスのロケーションがしきい値時間期間の間にしきい値レベルを超えて変化したかどうかを決定するために、これらのパラメータをモニタすることでマルチモード通信デバイスが移動したまたは静止状態でないと決定し得る。
【００５０】
[0055]決定ブロック３２６において、プロセッサは、通信リンクおよび／またはマルチモード通信デバイスのロケーションの１つまたは複数の変化が（例えば、しきい値レベルを超えて）検出されたかどうかを決定し得る。この決定は、マルチモード通信デバイスが、より高い優先度のＲＡＴが利用可能になり得るほど十分遠くに動いたかをプロセッサが検出することを可能にする。
【００５１】
[0056]通信リンクおよび／またはマルチモード通信デバイスのロケーションの１つまたは複数の変化が検出されないと決定すること（すなわち、決定ブロック３２６＝「Ｎｏ」）に応答して、プロセッサは、続いて、ブロック３２２において、最も高い優先度のＲＡＴの信号についてのスキャンを防ぐまたはブロックし得る。
【００５２】
[0057]通信リンクおよび／またはマルチモード通信デバイスのロケーションの１つまたは複数の変化が検出されると決定すること（すなわち、決定ブロック３２６＝「Ｙｅｓ」）に応答して、プロセッサは、ブロック３０４において、１つまたは複数のＲＡＴの１つまたは複数の信号についてのスキャンを再度アクティブにし得る。
【００５３】
[0058]図４は、いくつかの実施形態に係る、マルチモード通信デバイス（例えば、図１および２のマルチモード通信デバイス１１０，２００）において無線アクセス技術の使用を管理するための方法４００を例示する。図１−４を参照すると、方法４００は、例えば、マルチモード通信デバイスのプロセッサ（すなわち、デバイスプロセッサ）（例えば、汎用プロセッサ２０６、ベースバンドプロセッサ２１６、別個のコントローラ、および／または同様のもの）の制御下で、マルチモード通信デバイス（例えば、マルチモード通信デバイス１１０，２００）によってインプリメントされ得る。ブロック３０２−３２０および３２６において、プロセッサは、図３を参照して説明したような方法３００の同様に番号付けされたブロックの動作を実行し得る。
【００５４】
[0059]ブロック４０２において、マルチモード通信デバイスが静止状態であると決定すること（すなわち、決定ブロック３２０＝「Ｙｅｓ」）に応答して、プロセッサは、確立された通信リンクのＲＡＴ以外のＲＡＴの信号についてのスキャンを防ぎ得る（または、ブロックし得る）。すなわち、最も高い優先度のＲＡＴの信号が受信されないとプロセッサが決定したいくつかの状況では、プロセッサは、別のＲＡＴの信号を使用して通信リンクを確立し得る。さらに、プロセッサは、マルチモード通信デバイスが静止状態のままである間、プロセッサが通信するために使用している信号以外の他のＲＡＴの任意の他の信号についてのスキャンをブロックまたは防ぎ得る。
【００５５】
[0060]ゆえに、様々な実施形態は、マルチモード通信デバイスが静止状態である間、マルチモード通信デバイスが通信に対して使用している信号／ＲＡＴ以外のＲＡＴの１つまたは複数の信号のスキャンを動的にディセーブルにするまたは防ぐことでマルチモード通信デバイスの動作を改善し得る。それによって、マルチモード通信デバイスは、通信リソースおよび電力の不必要な消費を低減し得る。様々な実施形態は特に、マシンタイプ通信（ＭＴＣ）を実行するように構成されたマルチモード通信デバイスの動作を改善し得る。
【００５６】
[0061]例示および説明される様々な実施形態は、特許請求の範囲の様々な特徴を例示するために単なる例として提供される。しかしながら、任意の所与の実施形態に関して示されたおよび説明された特徴は、関連する実施形態に必ずしも限定されるわけではなく、示されたまたは説明された他の実施形態とともに使用され得るかそれらと組み合わせられ得る。さらに、特許請求の範囲は、任意の１つの例となる実施形態によって制限されるように意図されない。例えば、方法３００の動作のうちの１つまたは複数は、方法４００の１つまたは複数の動作と置き換えられるか組み合わせられ得、逆もまた同様である。
【００５７】
[0062]様々な実施形態は、様々なマルチモード通信デバイスの任意のものにおいてインプリメントされ得、それの例（例えば、マルチモード通信デバイス５００および６００）は、図５および６に例示される。様々な実施形態では、マルチモード通信デバイス５００および６００は、図１および２を参照して説明したようなマルチモード通信デバイス１１０および２００に類似し得る。このように、マルチモード通信デバイス５００および６００は、方法３００および４００をインプリメントし得る。
【００５８】
[0063]図１−５を参照すると、マルチモード通信デバイス５００は、内蔵メモリ５０３に結合されたプロセッサ５０２を含み得る。マルチモード通信デバイス５００は、電磁気信号を送るおよび受信するためのアンテナ５０４と、互いにおよび／またはプロセッサ５０２に結合された、通信を送るおよび受信するためのワイヤレス信号トランシーバ５０５とを含み得る。トランシーバ５０５およびアンテナ５０４は、様々なワイヤレス送信プロトコルスタックおよびインターフェースをインプリメントするために、上述した回路とともに使用され得る。マルチモード通信デバイス５００は、１つまたは複数のＲＡＴを介して１つまたは複数の通信ネットワークを介した通信を可能にする、プロセッサ５０２およびアンテナ５０４に結合された１つまたは複数のセルラネットワークワイヤレスモデムチップ５１０を含み得る。
【００５９】
[0064]プロセッサ５０２は、汎用または専用処理タスクのために設計された１つまたは複数のマルチコア集積回路であり得る。内蔵メモリ５０３は、揮発性または非揮発性メモリであり得、安全なおよび／または暗号化されたメモリ、または安全でないおよび／または暗号化されていないメモリ、またはそれらの任意の組合せであり得る。プロセッサ５０２はまた、抵抗感知タッチスクリーン、容量感知タッチスクリーン、赤外線感知タッチスクリーン、等のタッチスクリーンパネルを含み得る、マルチモード通信デバイスのディスプレイ５２２に結合され得る。追加的に、ディスプレイ５２２は、タッチスクリーン能力を有する必要はない。マルチモード通信デバイス５００はまた、入力を受けるための１つまたは複数の物理ボタン５１２，５１４を含み得る。
【００６０】
[0065]マルチモード通信デバイス５００は、マルチモード通信デバイスが１つまたは複数の他のデバイスまたはシステムと通信することを可能にするために、プロセッサ５０２に結合され得る１つまたは複数の通信インターフェース５１８を含み得る。いくつかのインプリメンテーションでは、通信インターフェース５１８は、マルチモード通信デバイス５００が、１つまたは複数の他のデバイスまたはシステムとのマシンタイプ通信を実行することを可能にし得る。
【００６１】
[0066]マルチモード通信デバイス５００は、このデバイスの移動を検出するために使用され得るプロセッサ５０２に結合された加速度計５０６を含み得る。マルチモード通信デバイス５００はまた、プロセッサ５０２に結合され得る１つまたは複数のセンサ５０８を含み得る。センサ５０８は、接続された他のデバイスまたはシステムの１つまたは複数の入力、信号、または状態を検出するように構成され得る。
【００６２】
[0067]マルチモード通信デバイス５００は、使い捨てのまたは再充電可能なバッテリのような、プロセッサ５０２に結合された電源５２２を含み得る。マルチモード通信デバイス５００はまた、本明細書で説明した構成要素のうちのすべてまたはいくつかを含むために、プラスチック、金属、または複数のマテリアルの組合せから作られた筐体５２０を含み得る。
【００６３】
[0068]図１−４および６を参照すると、様々な実施形態では、マルチモード通信デバイス６００は、タッチスクリーンコントローラ６０４および内蔵メモリ６０６に結合されたプロセッサ６０２を含み得る。プロセッサ６０２は、汎用または専用処理タスクのために設計された１つまたは複数のマルチコア集積回路であり得る。内蔵メモリ６０６は、揮発性または非揮発性メモリであり得、安全なおよび／または暗号化されたメモリ、または安全でないおよび／または暗号化されていないメモリ、またはそれらの任意の組合せであり得る。タッチスクリーンコントローラ６０４およびプロセッサ６０２はまた、抵抗感知タッチスクリーン、容量感知タッチスクリーン、赤外線感知タッチスクリーン、等のタッチスクリーンパネル６１２に結合され得る。追加的に、マルチモード通信デバイス６００のディスプレイは、タッチスクリーン能力を有する必要はない。
【００６４】
[0069]マルチモード通信デバイス６００は、互いにおよび／またはプロセッサ６０２に結合された、通信を送るおよび受信するための２つ以上の無線信号トランシーバ６０８（例えば、Ｐｅａｎｕｔ、Ｂｌｕｅｔｏｏｔｈ、ＺｉｇＢｅｅ、Ｗｉ−Ｆｉ、ＲＦ無線機）およびアンテナ６１０を有し得る。トランシーバ６０８およびアンテナ６１０は、様々なワイヤレス送信プロトコルスタックおよびインターフェースをインプリメントするために、上述した回路とともに使用され得る。マルチモード通信デバイス６００は、２つ以上の無線アクセス技術を介して２つ以上のセルラネットワークを介した通信を可能にする、プロセッサおよびアンテナ６１０に結合された１つまたは複数のセルラネットワークワイヤレスモデムチップ６１６を含み得る。
【００６５】
[0070]マルチモード通信デバイス６００は、プロセッサ６０２に結合された周辺デバイス接続インターフェース６１８を含み得る。周辺デバイス接続インターフェース６１８は、１つのタイプの接続を受け入れるように単独で構成され得るか、ＵＳＢ、ＦｉｒｅＷｉｒｅ、Ｔｈｕｎｄｅｒｂｏｌｔ、またはＰＣＩｅのような、共通または所有の、様々なタイプの物理および通信接続を受け入れるように構成され得る。周辺デバイス接続インターフェース６１８はまた、同様に構成された周辺デバイス接続ポート（図示されない）に結合され得る。
【００６６】
[0071]マルチモード通信デバイス６００はまた、オーディオ出力を提供するためのスピーカ６１４を含み得る。マルチモード通信デバイス６００はまた、本明細書で説明した構成要素のうちのすべてまたはいくつかを含むために、プラスチック、金属、または複数のマテリアルの組合せから作られた筐体６２０を含み得る。マルチモード通信デバイス６００は、使い捨てのまたは再充電可能なバッテリのような、プロセッサ６０２に結合された電源６２２を含み得る。再充電可能なバッテリはまた、マルチモード通信デバイス６００に外付けの電源から充電電流を受けるために周辺デバイス接続ポートに結合され得る。マルチモード通信デバイス６００はまた、ユーザ入力を受けるための物理ボタン６２４を含み得る。マルチモード通信デバイス６００はまた、マルチモード通信デバイス６００をオンおよびオフにするための電力ボタン６２６を含み得る。
【００６７】
[0072]プロセッサ５０２および６０２は、下で説明される様々な実施形態の機能を含む様々な機能を実行するためにソフトウェア命令（アプリケーション）によって構成されることができる、任意のプログラマブルマイクロプロセッサ、マイクロコンピュータ、または１つまたは複数のマルチプルプロセッサチップであり得る。いくつかのモバイルワイヤレスデバイスには、ワイヤレス通信機能専用の１つのプロセッサおよび他のアプリケーションを実行すること専用の１つのプロセッサのような複数のプロセッサ５０２および６０２が設けられているであろう。典型的に、ソフトウェアアプリケーションは、それらがアクセスされプロセッサ５０２および６０２にロードされる前に内蔵メモリ５０３，６０６に記憶され得る。プロセッサ５０２および６０２は、アプリケーションソフトウェア命令を記憶するのに十分な内蔵メモリを含み得る。
【００６８】
[0073]前述の方法の説明およびプロセスフロー図は、単に実例となる例として提供されており、様々な実施形態のブロックが、提示された順序で実行されなければならないことを必要とするまたは暗示するように意図されたものではない。当業者によって認識されるように、前述の実施形態におけるブロックの順序は、任意の順序で実行され得る。「その後」、「次いで」、「次に」、等の用語は、ブロックの順序を限定するように意図されておらず、これらの用語は、単に、方法の説明を読者に案内するために使用される。さらに、例えば、「a」、「an」、または「the」とうい冠詞を使用した単数形での請求項の要素への任意の参照は、その要素を単数に限定するものと解釈されるべきではない。
【００６９】
[0074]本明細書で開示された実施形態に関連して説明された実例となる様々な論理ブロック、モジュール、回路、およびアルゴリズムブロックは、電子ハードウェア、コンピュータソフトウェア、またはその両方の組合せとしてインプリメントされ得る。このハードウェアとソフトウェアとの互換性を明確に例示するために、実例となる様々な構成要素、ブロック、モジュール、回路、およびブロックが、概してそれらの機能性の観点から上に説明されている。このような機能性がハードウェアとしてインプリメントされるかソフトウェアとしてインプリメントされるかは、特定の用途とシステム全体に課せられる設計制約とに依存する。当業者は、特定のアプリケーションごとに様々な方法で、説明された機能性をインプリメントし得るが、このようなインプリメンテーションの決定は、様々な実施形態から逸脱を引き起こしていると解釈されるべきでない。
【００７０】
[0075]本明細書で開示された実施形態に関連して説明された実例となる様々な論理、論理ブロック、モジュール、および回路をインプリメントするために使用されるハードウェアは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェア構成要素、または本明細書で説明された機能を実行するように設計されたこれらの任意の組合せでインプリメントまたは実行され得る。汎用プロセッサは、マイクロプロセッサであり得るが、代替的に、プロセッサは、任意の従来のプロセッサ、コントローラ、マイクロコントローラ、またはステートマシンであり得る。プロセッサはまた、通信デバイスの組合せ、例えば、ＤＳＰと、１つのマイクロプロセッサ、複数のマイクロプロセッサ、ＤＳＰコアに連結した１つまたは複数のマイクロプロセッサ、または任意の他のそのような構成との組合せとしてインプリメントされ得る。代替的に、いくつかのブロックまたは方法は、所与の機能に固有の回路により実行され得る。
【００７１】
[0076]様々な実施形態では、説明された機能は、ハードウェアで、ソフトウェアで、ファームウェアで、またはこれらの任意の組合せでインプリメントされ得る。ソフトウェアでインプリメントされる場合、それら機能は、非一時的なコンピュータ読取可能な媒体または非一時的なプロセッサ読取可能な媒体上で、１つまたは複数の命令またはコードとして記憶され得る。本明細書で開示されるアルゴリズムまたは方法の動作は、非一時的なコンピュータ読取可能なまたはプロセッサ読取可能な記憶媒体上に存在し得るプロセッサ実行可能なソフトウェアモジュールで具現化され得る。非一時的なコンピュータ読取可能なまたはプロセッサ読取可能な記憶媒体は、コンピュータまたはプロセッサによってアクセスされ得る任意の記憶媒体であり得る。限定ではなく例として、このような非一時的なコンピュータ読取可能なまたはプロセッサ読取可能な媒体は、ＲＡＭ、ＲＯＭ、ＥＥＰＲＯＭ、フラッシュメモリ、ＣＤ−ＲＯＭまたは他の光ディスク記憶装置、磁気ディスク記憶装置または他の磁気記憶デバイス、あるいは、命令またはデータ構造の形式で所望のプログラムコードを記憶するために使用されることができかつコンピュータによってアクセスされることができる任意の他の媒体を含むことができる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスクおよびブルーレイディスクを含み、ディスク（disk）は、通常磁気的にデータを再生し、ディスク（disc）は、レーザーを用いて光学的にデータを再生する。上記の組合せもまた、非一時的なコンピュータ読取可能なおよびプロセッサ読取可能な媒体の範囲内に含まれる。追加的に、方法またはアルゴリズムの動作は、コンピュータプログラム製品に組み込まれ得る、非一時的なプロセッサ読取可能な媒体および／またはコンピュータ読取可能な媒体上のコードおよび／または命令の１つ、または任意の組合せ、またはそのセットとして存在し得る。
【００７２】
[0077]開示された実施形態の先の説明は、当業者による本実施形態の製造または使用を可能にするために提供される。これらの実施形態に対する様々な修正は、当業者には容易に明らかであり、本明細書で定義された包括的な原理は、実施形態の範囲から逸脱することなく他の実施形態に適用され得る。ゆえに、様々な実施形態は、本明細書に示された実施形態に制限されるように意図されるものではなく、以下の特許請求の範囲ならびに本明細書に開示された原理および新規な特徴と合致する最も広い範囲が与えられるべきである。
【図１】
2019515525.tif 000003
【図２】
2019515525.tif 000004
【図３】
2019515525.tif 000005
【図４】
2019515525.tif 000006
【図５】
2019515525.tif 000007
【図６】
2019515525.tif 000008
【国際調査報告】
2019515525.tif 000009
2019515525.tif 000010
2019515525.tif 000011
2019515525.tif 000012
2019515525.tif 000013